【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
複数のイメージを有するハイダイナミックレンジビデオを符号化するための方法であって、前記方法は、
入力ハイダイナミックレンジイメージのピクセルカラーを入力するステップであって、前記ピクセルカラーは、輝度及び色度の情報を持つ前記ステップと、
ピクセルカラーの前記輝度のルマコードを抽出するために、マッピング関数の逆関数を適用するステップであって、前記マッピング関数は、
【数５０】
2016533071.tif 000001
として定義される第１の部分関数と、
【数５１】
2016533071.tif 000002
として定義される第２の部分関数と、を有するものとして予め定められ、ここで、ρは、同調定数であり、ｖは、符号化される輝度に対応する前記ルマコードであり、Ｌｍは、所定の基準ディスプレイのピーク輝度であり、γは、好ましくは２．４に等しい定数である、前記ステップと、
前記ルマコードを有するカラーエンコーディングを持つピクセルのマトリクスを出力するステップと、
を有する、方法。
【請求項２】
Ｌｍが、５０００ニットに等しい、請求項１記載の方法。
【請求項３】
ρが、２５に等しい、請求項１又は２に記載の方法。
【請求項４】
前記γ関数が、Rec.709エンコーディングγと同等のγと、γ２．４関数と、からなる、請求項１又は２に記載の方法。
【請求項５】
ρ及びγのパラメータが、１００ニットのディスプレイ上の人間のカラーグレーダに従って良好に見える符号化イメージを生み出すために更に最適化され、これにより、前記ρ及びγのパラメータの少なくとも１つが、好ましくは、人間のグレーダにより最適化される、請求項１乃至４のいずれか１項に記載の方法。
【請求項６】
前記カラーエンコーディングの色座標（ｕ，ｖ）が、
【数５２】
2016533071.tif 000003
及び
【数５３】
2016533071.tif 000004
の形の分数方程式であって、ａ〜ｌは、好ましくは、ａ＝４，ｂ＝ｃ＝０，ｄ＝１，ｅ＝１５，ｆ＝３，ｈ＝９，ｇ＝ｉ＝０，ｊ＝１，ｋ＝１５，ｌ＝３の定数である、前記分数方程式によって、ハイダイナミックレンジイメージにおけるピクセルの色のCIE XYZ表現から参照されるものと定義される、請求項１乃至５のいずれか１項に記載の方法。
【請求項７】
前記色座標（ｕ，ｖ）が、好ましくはD65などの所定の白色点に関連するものとして定義される、請求項１乃至６のいずれか１項に記載の方法。
【請求項８】
イメージ信号が、前記ルマコードである１つの色成分で符号化されるピクセルカラーを具備するピクセルマトリクスイメージを有するように形成され、前記ρ及びγパラメータのうちの少なくとも１つを有するメタデータと関連付けられる、請求項１乃至７のいずれか１項に記載の方法。
【請求項９】
複数のイメージを有するハイダイナミックレンジビデオを符号化するためのビデオ符号化装置であって、
入力ハイダイナミックレンジイメージのピクセルカラーを得るための入力部であって、前記ピクセルカラーは、輝度及び色度の情報を持つ前記入力部と、
ピクセルカラーの前記輝度のルマコードを抽出するためのマッピング関数の逆関数を適用するグレーディング管理ユニットであって、前記マッピング関数は、
【数５６】
2016533071.tif 000005
として定義される第１の部分関数と、
【数５７】
2016533071.tif 000006
として定義される第２の部分関数と、を有するものとして予め定められ、ここで、ρは、同調定数であり、ｖは、符号化される輝度に対応する前記ルマコードであり、Ｌｍは、所定の基準ディスプレイのピーク輝度であり、γは、好ましくは２．４に等しい定数である、前記グレーディング管理ユニットと、
映像メモリ又はネットワークに接続可能な映像送信接続部に接続された符号化部であって、前記ルマコードである１つの色成分で符号化されたピクセルカラーを具備するピクセルマトリクスイメージを有するイメージ信号Ｓ＿ｉｍを符号化及び送信するとともに、前記ρ及びγパラメータのうちの少なくとも１つを有するメタデータと関連付けられている、前記符号化部と、
を有する、ビデオ符号化装置。
【請求項１０】
人間のグレーダが、ρ及び／又はγの特定の値を選択できるようにするユーザインタフェースユニットを有する、請求項９記載のビデオ符号化装置。
【請求項１１】
ハイダイナミックレンジイメージの少なくとも１つに存在する物体の前記輝度の静的分析に基づいて、ρ及び／又はγの特定の値を決定する自動イメージ分析ユニットを有する、請求項９記載のビデオ符号化装置。
【請求項１２】
前記グレーディング管理ユニットが、
【数５８】
2016533071.tif 000007
及び
【数５９】
2016533071.tif 000008
（ａ〜ｌは、好ましくは、ａ＝４，ｂ＝ｃ＝０，ｄ＝１，ｅ＝１５，ｆ＝３，ｈ＝９，ｇ＝ｉ＝０，ｊ＝１，ｋ＝１５，ｌ＝３の定数）として、前記ハイダイナミックレンジイメージの前記ピクセルの色成分を決定する、請求項９乃至１１のいずれか１項に記載のビデオ符号化装置。
【請求項１３】
複数のイメージを有するハイダイナミックレンジビデオエンコーディングを復号化するためのビデオ復号化装置であって、
ハイダイナミックレンジイメージエンコーディングを受信するとともに、請求項１記載の方法から生じる、ルマコードを有する前記ハイダイナミックレンジイメージエンコーディングからイメージエンコーディングを抽出する受信及びフォーマットユニットと、
前記イメージエンコーディングからハイダイナミックレンジイメージを抽出するための色マッピング戦略を適用する色マッピングユニットであって、
【数６０】
2016533071.tif 000009
として定義される第１の部分関数と、
【数６１】
2016533071.tif 000010
として定義される第２の部分関数と、を有する（ここで、ρは、同調定数であり、ｖは、符号化される輝度に対応する前記ルマコードであり、Ｌｍは、所定の基準ディスプレイのピーク輝度であり、γは、ハイダイナミックレンジイメージのピクセルの輝度Ｌを得るために、好ましくは２．４に等しい定数である）ものとして定義された所定のマッピング関数を、前記イメージエンコーディングにおけるピクセルルマｖを適用する前記色マッピングユニットと、
を有する、ビデオ復号化装置。
【請求項１４】
前記受信及びフォーマットユニットが、前記ハイダイナミックレンジイメージエンコーディングからパラメータρ，γ又はＬｍのうちの少なくとも１つを抽出する、請求項１３記載のビデオ復号化装置。
【請求項１５】
前記色マッピングユニットが、前記ピクセルカラーのための色座標（ｕ，ｖ）を受信し、前記輝度の情報、並びに、CIE XYZ色表現などのユニバーサル色表現又はRGBなどの色表現に依存した装置に対する前記イメージＩｍ＿１の前記ピクセルカラーの前記ｕ及びｖ成分で、マップに変換を適用する、請求項１３又は１４に記載のビデオ復号化装置。
【請求項１６】
前記色マッピングユニットが、前記ハイダイナミックレンジイメージによって定義されるダイナミックレンジとは異なるダイナミックレンジを具備するイメージに対する色マッピングを特定するメタデータとして符号化された他の色マッピングパラメータを用いる第２の色マッピング戦略を適用する、請求項１３乃至１５のいずれか１項に記載のビデオ復号化装置。
【請求項１７】
請求項１３乃至１６のいずれか１項に記載のビデオ復号化装置を有する、ディスプレイ。
【請求項１８】
ビデオ復号化方法であって、
複数のイメージを有する符号化されたハイダイナミックレンジビデオを受信し、処理されるイメージエンコーディングを抽出するステップと、
前記イメージエンコーディングからハイダイナミックレンジイメージを抽出するために、色マッピング戦略を適用することによって、色マッピングを行なうステップであって、前記色マッピングは、
【数６２】
2016533071.tif 000011
として定義される第１の部分関数と、
【数６３】
2016533071.tif 000012
として定義される第２の部分関数と、を有する（ここで、ρは、同調定数であり、ｖは、符号化される輝度に対応する前記ルマコードであり、Ｌｍは、所定の基準ディスプレイのピーク輝度であり、γは、ハイダイナミックレンジイメージのピクセルの輝度Ｌを得るために、好ましくは２．４に等しい定数である）ものとして定義された所定のマッピング関数を、前記イメージエンコーディングにおけるピクセルルマｖを適用する、ビデオ復号化方法。